【手続補正書】
【提出日】平成16年3月23日(2004.3.23)
【手続補正１】
【補正対象書類名】明細書
【補正対象項目名】特許請求の範囲
【補正方法】変更
【補正の内容】
【特許請求の範囲】
【請求項１】
光記録／再生デバイスからホスト・デバイスへのインターフェースを介して光記録メディアにデータを記録し、または光記録メディアからデータを再生する方法において、
リアルタイム・データが生成された場合にホスト・デバイスからリアルタイム書き込みコマンドを受信するステップと；
書き込みコマンドによって指定された書き込み領域において、欠陥管理領域の欠陥リストにリストされた欠陥ブロックの有無をデータを書き込む前に判断するステップと；
欠陥ブロックが存在する場合、欠陥ブロックの位置情報をホスト・デバイスに返すステップと；
その返された欠陥ブロックの位置情報に基づいてデータを光記録メディア上に書き込むためにホスト・デバイスから新たな書き込みコマンドを受信するステップと
を含むことを特徴とする方法。
【請求項２】
返された欠陥ブロックの位置情報に基づいてファイル構造を新しく構築するステップ
をさらに含むことを特徴とする請求項１に記載の方法。
【請求項３】
欠陥ブロックの位置情報が欠陥管理領域の２次欠陥リスト（ＳＤＬ）にリストされることを特徴とする請求項１に記載の方法。
【請求項４】
データが欠陥ブロックに書き込まれないように新たな書き込みコマンドが生成されることを特徴とする請求項１に記載の方法。
【請求項５】
新たな書き込みコマンドが、ＳＤＬにリストされた位置情報に基づいて欠陥ブロックによって分割されることを特徴とする請求項４に記載の方法。
【請求項６】
欠陥ブロックが論理セクタ番号（ＬＳＮ）をそのまま有することを特徴とする請求項１に記載の方法。
【請求項７】
光記録／再生デバイスからインターフェースを介してホスト・デバイスに光記録メディアにデータを記録し、または光記録メディアからデータを再生する方法において、
書き込みまたは読み取られるデータがリアルタイム・データであるか否かを判断するステップと；
データがリアルタイム・データである場合、書き込み／読み取りコマンドを転送する前に光記録／再生デバイスに欠陥管理領域に記録された欠陥ブロックのリストを要求するステップと；
記録／再生デバイスから受信した欠陥ブロックのリストに基づいて書き込み／読み取りコマンドを転送し、書込み又は読取りモードで欠陥ブロックを除くことを特徴とする方法。
【請求項８】
光記録メディアにデータの記録し、または光記録メディアからデータを再生する方法において、
リアルタイム・データを書き込む前に、指定された書込み領域における、欠陥管理領域の欠陥リストにリストされた欠陥ブロックの存在を決定するステップと、
データの書込みの間に欠陥ブロックに書き込まれないように光記録メディアにリアルタイム・データを書き込むステップと、
その書き込まれたデータに基づいてファイル構造を構築するステップと
を有することを特徴とする方法。
【請求項９】
欠陥ブロックが２次欠陥リスト（ＳＤＬ）にリストされることを特徴とする請求項８に記載の方法。
【請求項１０】
ファイル構造がファイル・サイズ情報と欠陥ブロックを除きながら書き込まれたデータの開始位置とを含むことを特徴とする請求項８に記載の方法。
【請求項１１】
ファイル構造が欠陥ブロックに基づいて複数のサブファイル構造に分割され、そのサブファイルがファイル・サイズ情報と欠陥ブロックを除きながら書き込まれたデータの開始位置とを含むことを特徴とする請求項８に記載の方法。
【請求項１２】
欠陥ブロックが論理セクタ番号（ＬＳＮ）をそのまま有することを特徴とする請求項８に記載の方法。
【請求項１３】
光記録メディアにデータを記録し、または光記録メディアからデータを再生する方法において、
（ａ）欠陥領域に関する情報を読み取るステップと、
（ｂ）ステップ（ａ）で読み取った欠陥領域に関する情報を参照してリアルタイムにデータを書き込むステップと、
（ｃ）リアルタイムにデータを書き終えたのち、欠陥領域の情報に関連したファイル・アーキテクチャを光記録メディアに書き込むステップと
を有し、そのファイル・アーキテクチャが欠陥領域によって区切られた少なくとも２つのサブファイル・アーキテクチャを含み、その欠陥領域を含まないことを特徴とする方法。
【請求項１４】
ファイル・アーキテクチャはユニバーサル・ディスク・フォーマット（ＵＤＦ）システムの情報制御ブロック（ＩＣＢ）である請求項１３に記載の方法。
【請求項１５】
光記録メディアにデータを記録し、または光記録メディアからデータを再生する方法において、
（ａ）リアルタイム・データを記録するとのコマンドを受信して、リアルタイム・データを書き込むために指定された領域に存在する欠陥領域に関する情報を読み取るステップと、
（ｂ）欠陥領域に対する情報を参照することによって生成された書込みコマンドを受信するステップと、
（ｃ）ステップ（ｂ）で提供された書込みコマンドに応答してリアルタイム・データを書き込むステップと、
（ｄ）欠陥領域によって区切られた複数のファイル・エントリを含むファイル・アーキテクチャを書き込み、その際、その欠陥領域がファイル・アーキテクチャから除かれているステップと
を有することを特徴とする方法。
【請求項１６】
ファイル・アーキテクチャはユニバーサル・ディスク・フォーマット（ＵＤＦ）システムの情報制御ブロック（ＩＣＢ）である請求項１３に記載の方法。
【請求項１７】
書込みコマンドは、情報によって識別された欠陥領域内にデータを書き込まないことを特徴とする請求項１５に記載の方法。
【請求項１８】
ファイル・アーキテクチャは書き込まれたデータ・ファイルのファイル・サイズ情報と開始位置とを含むことを特徴とする請求項１５に記載の方法。
【請求項１９】
ファイル・アーキテクチャはそれぞれ書き込まれたデータ・ファイルのファイル・サイズ情報と開始位置とを含む複数のファイル・エントリを含むことを特徴とする請求項１８に記載の方法。
【請求項２０】
書き込まれたデータ・ファイルの全体のサイズが実際のデータ・ファイルのサイズと等しいことを特徴とする請求項１８に記載の方法。
【請求項２１】
光記録メディアにデータを記録し、または光記録メディアからデータを再生する方法において、
光記録メディアの欠陥管理領域にリストされた欠陥リストを参照することによってリアルタイム・ファイルを書き込む又は読み取る領域を探すステップと、
書込み又は読取りモードで予め欠陥領域を除いて、探し出した領域に書込み又は読取りコマンドに従ってファイルを書込む又は読み取るステップと、
書き込まれた又は読み取られたファイルに従ってファイル情報を書き込む又は更新するステップと
を有することを特徴とする方法。
【請求項２２】
欠陥ブロックの位置情報が欠陥管理領域の２次欠陥リスト（ＳＤＬ）にリストされていることを特徴とする請求項２１に記載の方法。
【請求項２３】
書込み又は読取りコマンドが欠陥管理領域にリストされた欠陥領域によって分割されていることを特徴とする請求項２１に記載の方法。
【請求項２４】
欠陥ブロックが論理セクタ番号（ＬＳＮ）をそのまま有することを特徴とする請求項２１に記載の方法。
【請求項２５】
ファイル情報が、欠陥ブロックを除きながら記録されたファイルのサイズを含むことを特徴とする請求項２１に記載の方法。
【請求項２６】
ファイル情報が、分割されかつ欠陥領域の間に書き込まれたそれぞれのファイル・サイズを示す複数の情報を有することを特徴とする請求項２５に記載の方法。
【請求項２７】
複数の情報がさらにそれぞれのファイルの開始位置を示すことを特徴とする請求項２１に記載の方法。
【請求項２８】
記録されたサイズが記録されたセクタの全体の長さを表していることを特徴とする請求項２５に記載の方法。
【請求項２９】
欠陥管理領域を管理するための欠陥管理領域と、
リアルタイム・データ・ファイルを含むデータ領域と、
データ領域の欠陥領域を置き換えるためのスペア領域と、
データ領域内に書き込まれたデータ・ファイルを管理するためのファイル・アーキテクチャ領域と
を有し、ファイル・アーキテクチャ領域内のファイル・アーキテクチャが少なくとも書き込まれたデータ・ファイルの長さを示しているサブ情報を含み、そのサブ情報が欠陥領域によって区切られて書き込まれていることを特徴とする記録メディア。
【請求項３０】
サブ情報が記録されたデータの全てのセクタ又は全てのブロックを少なくとも含むことを特徴とする請求項２９に記載の記録メディア。
【請求項３１】
サブ情報が、さらに、書き込まれたデータフィルの開始アドレスを指示することを特徴とする請求項２９に記載の記録メディア。
【請求項３２】
ファイル・アーキテクチャがリアルタイム・データの記録終了に基づいて書き込まれるか又は更新されることを特徴とする請求項２９記載の記録メディア。
【請求項３３】
欠陥管理領域を管理するための欠陥管理領域と、
記録されたリアルタイム・データを管理するファイルシステム情報と
を含み、そのファイルシステム情報が欠陥領域を除きながら記録されたリアルタイム・データの長さを少なくとも有するサブ情報を含むことを特徴とする光記録メディア。
【請求項３４】
記録メディアのある領域にリアルタイム・データを記録するとき、欠陥領域を除くためにそのリアルタイム・データの記録の前に欠陥領域の情報を予め参照することを特徴とする請求項３３に記載の光記録メディア。
【請求項３５】
欠陥領域内のデータがリアルタイム・データの記録の間にスペア領域の置換領域と置き換えられないことを特徴とする請求項３４に記載の光記録メディア。
【請求項３６】
サブ情報が欠陥領域を除きながらそれぞれ書き込まれることを特徴とする請求項３３に記載の光記録メディア。
【請求項３７】
サブ情報が記録されたデータの全てのセクタ又は全てのブロックを少なくとも含むことを特徴とする請求項３６に記載の記録メディア。
【請求項３８】
サブ情報が、さらに、記録されたデータの開始アドレスを指示することを特徴とする請求項２９に記載の記録メディア。
【請求項３９】
ファイル・システム情報が少なくともリアルタイム・データの記録終了に基づいて光記録メディアの領域に書き込まれるか又は更新されることを特徴とする請求項２９記載の記録メディア。